(57)【特許請求の範囲】
【請求項１】
計数した紙幣を設定された枚数毎に結束する施封部を有する紙幣整理装置において、
投入された紙幣を１枚ずつ分離して繰り出す投入部と、
前記投入部から繰り出された紙幣を搬送する紙幣搬送路と、
前記紙幣搬送路上に配設され、搬送される紙幣を前記設定された枚数に達するまで計数する鑑別部と、
前記鑑別部で計数された紙幣を集積する一時集積部と、
前記一時集積部に集積された紙幣を挟持して前記施封部へ移送する移送部と、
前記施封部で結束された紙幣の枚数の過不足を検知する紙幣束検査部とを設け、
前記鑑別部は、搬送される最先の紙幣および最後の紙幣に印刷された識別情報を読み取り、
前記施封部は、前記最先の紙幣を最下位、前記最後の紙幣を最上位として紙幣を結束し、
前記紙幣束検査部は、結束された紙幣束の最下位の紙幣および最上位の紙幣に印刷された識別番号を読取るセンサを備え、前記最下位の紙幣の識別番号が前記最先の紙幣の識別番号と一致しないこと、または前記最上位の紙幣の識別番号が前記最後の紙幣の識別番号と一致しないことを検知して紙幣の枚数の過不足を検知することを特徴とする紙幣整理装置。
【請求項２】
請求項１の紙幣整理装置において、
前記一時集積部は、搬送された紙幣を順次積層して集積し、
前記移送部は、前記一時集積部に積層された紙幣の上下関係を保持したまま前記施封部へ移送し、
前記鑑別部は、搬送される紙幣の表裏を鑑別し、
前記鑑別部の下流の紙幣搬送路に、前記鑑別部の鑑別結果に基づいて紙幣の表裏を反転する表裏反転部を設け、
前記最先の紙幣の識別番号が印刷された面を下方、前記最後の紙幣の識別番号が印刷された面を上方にして前記一時集積部に集積することを特徴とする紙幣整理装置。
【発明の詳細な説明】
【技術分野】
【０００１】
本発明は、計数した紙幣を設定された枚数毎に結束する施封部を有する紙幣整理装置に関する。
【背景技術】
【０００２】
従来の紙幣整理装置は、例えば４つの一時集積部を備え、オペレータが４金種の紙幣の金種毎の施封あるいは任意の２金種の正券と損券別の施封を指定して、紙幣を投入部にセットすると、セットした紙幣を鑑別部に搬送して金種等の鑑別及び計数を行い、計数した紙幣を金種毎あるいは正損に分けて複数の一時集積部に集積する。
【０００３】
そして、紙幣が一時集積部に予め設定された一定枚数（例えば１００枚）集積されると、その紙幣を移送手段により施封部へ移送し、この施封部により紙幣をテープで施封して紙幣束として結束して放出し、紙幣束を作成するようにしているものがある（例えば、特許文献１参照）。なお、施封部では、移送された紙幣が設定された一定枚数であることの確認は行なっていない。
【先行技術文献】
【特許文献】
【０００４】
【特許文献１】特開２００９−４２９３８号公報（段落「００３９」〜段落「００４５」、図１、図３）
【発明の概要】
【発明が解決しようとする課題】
【０００５】
しかしながら、上述した従来の技術においては、一時集積部から施封部への移送の際に紙幣が落下した場合、落下した紙幣が除かれた一定枚数よりも少ない状態で施封が行われてしまい、また別の移送紙幣から落下した紙幣が混入した場合、一定枚数よりも多い状態で施封が行われてしまい、設定された一定枚数でない紙幣束を作成し、装置外へ排出してしまうという問題がある。
【０００６】
本発明は、このような問題を解決することを課題とし、設定された枚数でない紙幣束の作成を防止し、設定された枚数の紙幣束を作成することを目的とする。
【課題を解決するための手段】
【０００７】
そのため、本発明は、計数した紙幣を設定された枚数毎に結束する施封部を有する紙幣整理装置において、投入された紙幣を１枚ずつ分離して繰り出す投入部と、前記投入部から繰り出された紙幣を搬送する紙幣搬送路と、前記紙幣搬送路上に配設され、搬送される紙幣を前記設定された枚数に達するまで計数する鑑別部と、前記鑑別部で計数された紙幣を集積する一時集積部と、前記一時集積部に集積された紙幣を挟持して前記施封部へ移送する移送部と、前記施封部で結束された紙幣の枚数の過不足を検知する紙幣束検査部とを設け、前記鑑別部は、搬送される最先の紙幣および最後の紙幣に印刷された識別情報を読み取り、前記施封部は、前記最先の紙幣を最下位、前記最後の紙幣を最上位として紙幣を結束し、前記紙幣束検査部は、結束された紙幣束の最下位の紙幣および最上位の紙幣に印刷された識別番号を読取るセンサを備え、前記最下位の紙幣の識別番号が前記最先の紙幣の識別番号と一致しないこと、または前記最上位の紙幣の識別番号が前記最後の紙幣の識別番号と一致しないことを検知して紙幣の枚数の過不足を検知することを特徴とする。
【発明の効果】
【０００８】
このようにした本発明は、設定された枚数でない紙幣束の作成を防止し、設定された枚数の紙幣束を確実に作成することができるという効果が得られる。
【図面の簡単な説明】
【０００９】
【図１】第１の実施例における施封部の構成を示す概略側面図
【図２】第１の実施例における紙幣整理装置の外観を示す斜視図
【図３】第１の実施例における紙幣整理装置の構成を示す概略側面図
【図４】第１の実施例における施封処理を示すフローチャート
【図５】第２の実施例における施封部の構成を示す概略側面図
【図６】第２の実施例における施封処理を示すフローチャート
【図７】第３の実施例における施封部の構成を示す概略側面図
【図８】第３の実施例における施封処理を示すフローチャート
【発明を実施するための形態】
【００１０】
以下、図面を参照して本発明による紙幣整理装置の実施例を説明する。
【実施例１】
【００１１】
図２は第１の実施例における紙幣整理装置の外観を示す斜視図、図３は第１の実施例における紙幣整理装置の構成を示す概略側面図である。
【００１２】
図２および図３において、１は紙幣の投入部であり、紙幣整理装置（以下、「装置」という。）１００の正面上部に設けられている。この投入部１では、投入された紙幣を１枚ずつ分離して繰出す。
【００１３】
３は紙幣を搬送する紙幣搬送路であり、投入部１から１枚ずつ繰り出された紙幣をローラやベルト等で挟持して搬送する。
【００１４】
２は紙幣搬送路３上に配設され、搬送される紙幣の真偽、金種、表裏等の鑑別、及び計数を行うと共に、搬送異常の検出を行う鑑別部であり、装置１００内に設けられている。この鑑別部２は、ＣＣＤ（Ｃｈａｒｇｅ  Ｃｏｕｐｌｅｄ  Ｄｅｖｉｃｅ）センサ等で構成され、搬送される紙幣の表裏両面のイメージデータを読取ることができ、また読取った紙幣のイメージデータから紙幣毎に印刷された紙幣識別情報としてのシリアルナンバを文字として認識することができるようになっている。
【００１５】
ここで、シリアルナンバは、紙幣毎に付与されてその紙幣の一面に印刷された英数字等で構成されたものであり、本実施例では、シリアルナンバが印刷された紙幣の面を「おもて面」といい、その反対面を「裏面」という。
【００１６】
４は紙幣搬送路３に配設され、搬送される紙幣の表裏反転を行う表裏反転部であり、装置１００内の鑑別部２の後段（下流側）に位置するように設けられている。この表裏反転部４は、鑑別部２での紙幣の表裏の鑑別結果に基づいて搬送された紙幣の表裏を反転することができるようになっている。
【００１７】
５は結束（施封）対象外の金種の紙幣を集積するオープンポケットであり、装置１００の上面に設けられており、このオープンポケット５に集積された紙幣はオペレータが直接的にアクセスできるものとなっている。
【００１８】
６は集積機構であり、紙幣搬送路３により搬送された紙幣を順次積層して集積するものである。本実施例においては、この集積機構６には縦１列に４個の集積部（以下、「一時集積部」という。）６ａ〜６ｄが並べて装置１００内に設けられており、その一時集積部６ａ〜６ｄにそれぞれ予め設定された枚数（以下、「一定枚数」といい、例えば本実施例では１００枚である。）の紙幣が集積できるようになっており、紙幣搬送路３で最初に搬送された紙幣を最下位とし、その紙幣の上に後続する紙幣を順次集積するようになっている。したがって、紙幣搬送路３で最後に搬送された紙幣が集積された紙幣の最上位になる。なお、一時集積部は４個に限らず１個以上であればよい。
【００１９】
７は投入部１の右側に設けられた操作部であり、この操作部７には紙幣の計数を指示する計数開始ボタン７ａ、計数及び結束処理の完了を指示する完了ボタン、装置１００の障害復旧時等に再稼動させるためのリセットボタン、状態表示ランプが設けられている。なお、状態表示ランプは、装置の稼動時は緑色、装置の異常等の装置障害が発生した時には赤色に発光し、その旨を操作者へ報知する。
【００２０】
８は鑑別部２で金種不明と鑑別、あるいは搬送異常が検知されたリジェクト紙幣を集積するリジェクトポケットであり、投入部１の上方に設けられ、このリジェクトポケット８に集積されたリジェクト紙幣にオペレータが直接的にアクセスできるものとなっている。
【００２１】
９は一時集積部６に集積した一定枚数の紙幣を一括して挟持して施封部１０に移送するための移送部としての移送機構であり、１０は移送された紙幣を結束するための施封部としての紙幣結束機構である。なお、施封部１０の詳細は後述する。
【００２２】
本実施例では、移送機構９は一時集積部６に積層して集積した紙幣をアーム等の部材で挟持し、積層された紙幣の上下関係を入れ替えることなく、その上下関係を保持したまま施封部１０へ移送する。したがって、一時集積部６に集積された最下位の紙幣は移送後も最下位であり、一時集積部６に集積された最上位の紙幣は移送後も最上位である。
【００２３】
１１は装置１００の正面に設けられた紙幣束の放出口であり、施封部１０で結束された紙幣束を装置外へ排出する部位である。
【００２４】
１２は装置１００の正面に設けられた扉であり、この扉１２を開けることでオペレータは集積機構６にアクセスできるものになっている。
【００２５】
１３は装置１００上面においてオープンポケット５の後方に位置するように設けられた操作表示部で、液晶ディスプレイとその表面に配置したタッチパネルによって構成されており、オペレータはこの操作表示部１３を操作して動作モードの指定や、一時集積部６ａ〜６ｄに集積する紙幣の枚数、金種、集積順序等の設定を行う。また、この操作表示部１３には鑑別部２で鑑別された紙幣の金種や正損及び計数結果等の表示も行われる。
【００２６】
このように構成された紙幣整理装置１００は、図示しないメモリ等の記憶部に記憶された制御プログラム（ソフトウェア）に基づいて図示しないＣＰＵ（Ｃｅｎｔｒａｌ  Ｐｒｏｃｅｓｓｉｎｇ  Ｕｎｉｔ）等の演算手段および制御手段としての制御部によって全体の動作が制御される。
【００２７】
図１は第１の実施例における施封部の構成を示す概略側面図である。
【００２８】
図１において、施封部としての紙幣結束機構１０は、ローラ及びベルト等から成る搬送手段４０と、紙テープ等による結束用のテープ４１と、テープ４１に文字を印字する印字手段４２と、テープ４１を供給するテープ供給手段４３と、テープ４１を所定の長さに切断するカッタ４４と、切断されたテープ４１を紙幣束に巻き付ける図示しない結束手段と、紙幣に印刷されたシリアルナンバを読取る画像読取部４５とを備えている。
【００２９】
紙幣束検査部としての画像読取部４５は、結束された紙幣束の紙幣の枚数が一定枚数に対して過不足があるか否かを検知するものであり、結束手段と放出口との間の搬送手段４０の上方にセンサ４５ａ、下方にセンサ４５ｂが配設されて構成され、結束手段で結束された紙幣束の最上位の紙幣および最下位の紙幣に印刷されたシリアルナンバをそれぞれ読取る。なお、このセンサ４５ａ、４５ｂは、ＣＣＤセンサ等で構成され、紙幣のイメージデータを読取ることができ、また制御部により、読取った紙幣のイメージデータの認識処理が行われ、紙幣に印刷されたシリアルナンバを文字として認識することができるようになっている。
【００３０】
なお、搬送手段４０を構成するローラ及びベルトは矢印Ｈが示す方向に図示しない手段により昇降可能となっていて、施封する紙幣の枚数が変更となった場合でも搬送可能に構成されている。
【００３１】
紙幣結束機構１０は、以下のようにして紙幣を結束する。
【００３２】
まず、搬送手段４０が図３に示す移送機構９の紙幣クランプ部から（図１中の矢印Ｉが示す方向）１００枚の紙幣を一括して受け取り、ローラ及びベルトを矢印Ｋが示す方向に回転させ、紙幣を矢印Ｋが示す方向に移動させ、結束位置まで搬送する。
【００３３】
続けて、テープ供給手段４３はテープ４１を矢印Ｌが示す方向に供給し、図示しない結束手段は供給されたテープ４１を紙幣に巻き付けて施封する。その際、印字手段４２はインクリボンを介してテープ４１にて結束される紙幣の情報を印字し、印字されたテープ４１は所定の長さにカッタ４４で切断され、この切断されたテープ４１ａを結束手段が結束位置に搬送された１００枚の紙幣に巻きかけて結束することにより紙幣束を作る。
【００３４】
こうして作られた紙幣束は、更に搬送手段４０により矢印Ｎが示す方向に搬送され、センサ４５ａ、４５ｂにより紙幣束の表、裏に印刷された紙幣のシリアルナンバが読み取られる。その後も更に、搬送手段４０により矢印Ｎが示す方向に搬送され、図３に示す放出口１１に送られる。
【００３５】
上述した構成の作用について説明する。
【００３６】
紙幣整理装置が行う紙幣の施封処理を、図４の第１の実施例における施封処理を示すフローチャートの図中Ｓで表すステップにしたがって図１、図２および図３を参照しながら説明する。
【００３７】
なお、以下の第１から第３の実施例では、紙幣束を形成する紙幣の枚数（一定枚数）は、１００枚として設定され、記憶部に記憶されているものとする。
【００３８】
Ｓ１ａ：まず、操作者は操作表示部１３より、施封する金種を設定する。本実施例においては一時集積部６ａを使用して施封するように設定する。紙幣整理装置１００の制御部は、操作表示部１３で操作者の操作を受付け、施封する金種、すなわち一時集積部６ａを使用して施封することを記憶部に記憶させる。
【００３９】
Ｓ２ａ：次に、操作者は、紙幣を投入部１にセットし、操作部７の計数開始ボタン７ａを押下して計数を開始する。紙幣整理装置１００の制御部は、計数開始ボタン７ａの押下を検知すると、投入部１に投入された紙幣を１枚ずつ分離して紙幣搬送路３へ送り出し、紙幣の計数動作を開始する。
【００４０】
Ｓ３ａ：計数開始により紙幣搬送路３に取り込まれ、搬送される１枚目の紙幣（最先の紙幣）が鑑別部２を通過した際に、鑑別部２はその紙幣の金種の鑑別とその紙幣のシリアルナンバの読み取りを行う。
【００４１】
ここで、投入部１から紙幣搬送路３へ送り出した１枚目の紙幣は、一時集積部６ａに最初に集積され、紙幣束にしたときその最下位に位置するため、その紙幣のシリアルナンバがセンサ４５ｂで読み取ることができるように紙幣のおもて面が下方になるように表裏反転部４で表裏反転をして搬送する。
【００４２】
Ｓ４ａ：制御部は、鑑別部２により読み取った１枚目の紙幣のシリアルナンバを記憶部に記憶させるとともに１枚目の紙幣を、そのおもて面が下方になるようにして一時集積部６ａに集積する。
【００４３】
Ｓ５ａ：制御部は、鑑別部２により計数された紙幣が１００枚に達するまで計数動作を継続し、紙幣搬送路３により搬送される１００枚目の紙幣（最後の紙幣）が鑑別部２を通過した際に、鑑別部２はその紙幣の金種の鑑別とその紙幣のシリアルナンバの読み取りを行う。
【００４４】
ここで、投入部１から紙幣搬送路３へ送り出した１００枚目の紙幣は、一時集積部６ａに最後に集積され、紙幣束にしたときその最上位に位置するため、その紙幣のシリアルナンバがセンサ４５ａで読み取ることができるように紙幣のおもて面が上方になるように表裏反転部４で表裏反転をして搬送する。
【００４５】
なお、１枚目の紙幣のおもて面が下方、１００枚目の紙幣のおもて面が上方であれば、１枚目の紙幣のみ、おもて面を下方とし、２枚目から１００枚目の紙幣のおもて面を上方となるようにしてもよいし、１枚目から９９枚目の紙幣のおもて面を下方とし、１００枚目の紙幣のみ、おもて面を上方となるようにしてもよい。また２枚目から９９枚目の紙幣は、印刷されたシリアルナンバが読み取られないため、おもて面を上方または下方のどちらにしてもよい。
【００４６】
Ｓ６ａ：制御部は、鑑別部２により読み取った１００枚目の紙幣のシリアルナンバを記憶部に記憶させるとともに１００枚目の紙幣を、そのおもて面が上方になるようにして一時集積部６ａに集積する。
【００４７】
Ｓ７ａ：一時集積部６ａに１００枚の紙幣を集積すると制御部は、移送機構９により一時集積部６ａから施封部１０へ１００枚の紙幣を移送する。
【００４８】
Ｓ８ａ：制御部は、施封部１０により１００枚の紙幣を施封する。
【００４９】
Ｓ９ａ：制御部は、施封した紙幣束を搬送手段４０により図１に示す矢印Ｎが示す方向へ搬送し、紙幣束の表裏の紙幣のシリアルナンバを読取るため、センサ４５ａにより紙幣束の最上位の紙幣に印刷されたシリアルナンバを読取り、またセンサ４５ｂにより紙幣束の最下位の紙幣に印刷されたシリアルナンバを読取る。
【００５０】
Ｓ１０ａ：制御部は、センサ４５ｂにより読取った紙幣束の最下位の紙幣（紙幣束の裏の紙幣）のシリアルナンバと、Ｓ４ａにおいて鑑別部２により読み取った１枚目の紙幣のシリアルナンバとを比較し、一致するか否かを判定する。その判定の結果、一致すると判定すると処理をＳ１１ａへ移行し、一方一致しないと判定すると処理をＳ１３ａへ移行する。
【００５１】
Ｓ１１ａ：次に、制御部は、センサ４５ａにより読取った紙幣束の最上位の紙幣（紙幣束の表の紙幣）のシリアルナンバと、Ｓ６ａにおいて鑑別部２により読み取った１００枚目の紙幣のシリアルナンバとを比較し、一致するか否かを判定する。その判定の結果、一致すると判定すると処理をＳ１２ａへ移行し、一方一致しないと判定すると処理をＳ１３ａへ移行する。
【００５２】
Ｓ１２ａ：紙幣束の最下位の紙幣のシリアルナンバと、鑑別部２により読み取った１枚目の紙幣のシリアルナンバとが一致し、かつ紙幣束の最上位の紙幣のシリアルナンバと、鑑別部２により読み取った１００枚目の紙幣のシリアルナンバとが一致した場合、制御部は、施封部１０への移送の際に紙幣が落下、または別の移送紙幣から落下した紙幣が混入していないと判定し、紙幣束を紙幣整理装置１００の外へ排出する。
【００５３】
Ｓ１３ａ：紙幣束の最下位の紙幣のシリアルナンバと、鑑別部２により読み取った１枚目の紙幣のシリアルナンバとが一致せず、または紙幣束の最上位の紙幣のシリアルナンバと、鑑別部２により読み取った１００枚目の紙幣のシリアルナンバとが一致しない場合、制御部は、施封部１０への移送の際に紙幣が落下、または別の移送紙幣から落下した紙幣が混入したものと判定し、その紙幣束を排出せずに状態表示ランプを装置障害状態にして紙幣束が１００枚でないことを操作者に報知する。
【００５４】
このように、投入部から一時集積部までに搬送される際に鑑別部で読取った１枚目および１００枚目の紙幣のシリアルナンバと、施封部で結束した紙幣束の最下位の紙幣のシリアルナンバおよび最上位の紙幣のシリアルナンバとをそれぞれ比較し、双方が一致することを確認するようにしたことにより、設定された一定枚数でない紙幣束が装置外へ排出されてしまうことを防止することができる。
【００５５】
これは、一時集積部に集積された紙幣を施封部へ移送する際に、一時集積部に集積された紙幣を移送機構のアーム等で挟持するため、落下する紙幣には、集積された紙幣の最下位または最上位の紙幣が含まれると考えられ、また混入する紙幣は、最下位または最上位の紙幣と移送機構のアーム等との間に入り込むと考えられるからである。
【００５６】
以上説明したように、第１の実施例では、紙幣束の最下位の紙幣および最上位の紙幣のシリアルナンバを読み取る機構を施封部に設け、投入部から一時集積部までに搬送される際に鑑別部で読取った１枚目および１００枚目の紙幣のシリアルナンバと、施封部で結束した紙幣束の最下位の紙幣のシリアルナンバおよび最上位の紙幣のシリアルナンバとをそれぞれ比較し、双方が一致することを確認するようにしたことにより、設定された一定枚数でない紙幣束が作成され、装置外へ排出されてしまうことを防止し、装置の厳格性を確保することができるという効果が得られる。
【実施例２】
【００５７】
第２の実施例の構成は、第１の実施例の施封部の紙幣のシリアルナンバを読取るセンサに替えて紙幣束の厚さを検知する厚さ検知部を設けたものとしている。その施封部の構成を図５の第２の実施例における施封部の構成を示す概略側面図に基づいて説明する。
【００５８】
なお、紙幣整理装置の構成および厚さ検知部を除いた施封部の構成は、上述した第１の実施例と同様であり、同一の符号を付してその説明を省略する。
【００５９】
図５において、施封部としての紙幣結束機構１０は、ローラ及びベルト等から成る搬送手段４０と、紙テープ等による結束用のテープ４１と、テープ４１に文字を印字する印字手段４２と、テープ４１を供給するテープ供給手段４３と、テープ４１を所定の長さに切断するカッタ４４と、切断されたテープ４１を紙幣束に巻き付ける図示しない結束手段と、紙幣束の厚さを測定する厚さ検知部４６とを備えている。
【００６０】
紙幣束検査部としての厚さ検知部４６は、結束された紙幣束の紙幣の枚数が一定枚数に対して過不足があるか否かを検知するものであり、結束手段と放出口との間の搬送手段４０の上方に押圧部材４６ａ、下方に支持部材４６ｂが配設され、図示しない駆動手段により押圧部材４６ａを矢印Ｐが示す方向へ移動させて支持部材４６ｂとの間で挟んだ紙幣束の厚さを図示しないセンサにより測定する。
【００６１】
なお、本実施例では、搬送手段４０の上方に押圧部材を配設したものとして説明するが、押圧部材は下方、または上方および下方の両方に配設するようにしてもよい。
【００６２】
紙幣結束機構１０は、以下のようにして紙幣を結束する。
【００６３】
まず、搬送手段４０が図３に示す移送機構９の紙幣クランプ部から（図５中の矢印Ｉが示す方向）１００枚の紙幣を一括して受け取り、ローラ及びベルトを矢印Ｋが示す方向に回転させ、紙幣を矢印Ｋが示す方向に移動させ、結束位置まで搬送する。
【００６４】
続けて、テープ供給手段４３はテープ４１を矢印Ｌが示す方向に供給し、図示しない結束手段は供給されたテープ４１を紙幣に巻き付けて施封する。その際、印字手段４２はインクリボンを介してテープ４１にて結束される紙幣の情報を印字し、印字されたテープ４１は所定の長さにカッタ４４で切断され、この切断されたテープ４１ａを結束手段が結束位置に搬送された１００枚の紙幣に巻きかけて結束することにより紙幣束を作る。
【００６５】
こうして作られた紙幣束は、更に搬送手段４０により矢印Ｎが示す方向に搬送され、紙幣束の厚さ検知部４６ａ、４６ｂにより紙幣束をプレスして紙幣束の厚さが検出される。その後も更に、搬送手段４０により矢印Ｎが示す方向に搬送され、図３に示す放出口１１に送られる。
【００６６】
上述した構成の作用について説明する。
【００６７】
紙幣整理装置が行う紙幣の施封処理を、図６の第２の実施例における施封処理を示すフローチャートの図中Ｓで表すステップにしたがって図５、図２および図３を参照しながら説明する。
【００６８】
Ｓ１ｂ：まず、操作者は操作表示部１３より、施封する金種を設定する。本実施例においては一時集積部６ａを使用して施封するように設定する。紙幣整理装置１００の制御部は、操作表示部１３で操作者の操作を受付け、施封する金種、すなわち一時集積部６ａを使用して施封することを記憶部に記憶させる。
【００６９】
Ｓ２ｂ：次に、操作者は、紙幣を投入部１にセットし、操作部７の計数開始ボタン７ａを押下して計数を開始する。紙幣整理装置１００の制御部は、計数開始ボタン７ａの押下を検知すると、投入部１に投入された紙幣を１枚ずつ分離して紙幣搬送路３へ送り出し、紙幣の計数動作を開始する。
【００７０】
Ｓ３ｂ：計数開始により紙幣搬送路３に取り込まれた紙幣が鑑別部２を通過した際に、鑑別部２はその紙幣の金種の鑑別と計数を行い、制御部は、鑑別部２により計数された紙幣が１００枚に達するまで計数動作を継続し、１００枚目の紙幣が一時集積部６ａへ集積されるまで監視する。
【００７１】
Ｓ４ｂ：一時集積部６ａに１００枚の紙幣を集積すると制御部は、移送機構９により一時集積部６ａから施封部１０へ１００枚の紙幣を移送する。
【００７２】
Ｓ５ｂ：制御部は、施封部１０により１００枚の紙幣を施封する。
【００７３】
Ｓ６ｂ：制御部は、施封した紙幣束を搬送手段４０により図５に示す矢印Ｎが示す方向へ搬送し、厚さ検知部４６ａ、４６ｂにより紙幣束をプレスして紙幣束の厚さを測定する。
【００７４】
Ｓ７ｂ：制御部は、厚さ検知部４６ａ、４６ｂにより測定した紙幣束の厚さと、記憶部に予め記憶された紙幣１００枚の厚さとを比較し、測定した紙幣束の厚さが紙幣１００枚分に相当するか否か（測定した紙幣束の厚さが記憶部に予め記憶された紙幣１００枚の厚さの所定の範囲内にあるか否か）を判定し、相当すると判定すると処理をＳ８ｂへ移行し、一方相当しないと判定すると処理をＳ９ｂへ移行する。
【００７５】
Ｓ８ｂ：測定した紙幣束の厚さが紙幣１００枚分に相当する（測定した紙幣束の厚さが記憶部に予め記憶された紙幣１００枚の厚さの所定の範囲内にある）と判定した制御部は、施封部１０への移送の際に紙幣が落下、または別の移送紙幣から落下した紙幣が混入していないと判定し、紙幣束を紙幣整理装置１００の外へ排出する。
【００７６】
Ｓ９ｂ：測定した紙幣束の厚さが紙幣１００枚分に相当しない（測定した紙幣束の厚さが記憶部に予め記憶された紙幣１００枚の厚さの所定の範囲内にない）と判定した制御部は、施封部１０への移送の際に紙幣が落下、または別の移送紙幣から落下した紙幣が混入したものと判定し、その紙幣束を排出せずに状態表示ランプを装置障害状態にして紙幣束が１００枚でないことを操作者に報知する。
【００７７】
以上説明したように、第２の実施例では、作成した紙幣束の厚さを検出する厚さ検知部を設け、作成された紙幣束が設定された一定枚数の厚さであるか否かを判定するようにしたことにより、設定された一定枚数でない紙幣束が装置外へ排出されてしまうことを防止し、装置の厳格性を確保することができるという効果が得られる。
【実施例３】
【００７８】
第３の実施例の構成は、第１の実施例の施封部の紙幣のシリアルナンバを読取るセンサに替えて施封された紙幣束の側面の凹凸数を測定して紙幣の枚数を算出する凹凸数検知部を設けたものとしている。その施封部の構成を図７の第３の実施例における施封部の構成を示す概略側面図に基づいて説明する。
【００７９】
なお、紙幣整理装置の構成および凹凸数検知部を除いた施封部の構成は、上述した第１の実施例と同様であり、同一の符号を付してその説明を省略する。
【００８０】
図７において、施封部としての紙幣結束機構１０は、ローラ及びベルト等から成る搬送手段４０と、紙テープ等による結束用のテープ４１と、テープ４１に文字を印字する印字手段４２と、テープ４１を供給するテープ供給手段４３と、テープ４１を所定の長さに切断するカッタ４４と、切断されたテープ４１を紙幣束に巻き付ける図示しない結束手段と、紙幣束の凹凸数を測定する凹凸数検知部４７とを備えている。
【００８１】
紙幣束検査部としての凹凸数検知部４７は、結束された紙幣束の紙幣の枚数が一定枚数に対して過不足があるか否かを検知するものであり、結束手段と放出口との間の搬送手段４０の側方に配設され、紙幣束の紙幣間に生じる凹凸数をセンサにより測定し、紙幣束の紙幣の枚数を算出する。
【００８２】
この凹凸数検知部４７は、積層された紙幣束に側方から光を照射する発光部と、その反射光を受光する受光部とからなり、紙幣束の側部のイメージデータを取得し、そのイメージデータから紙幣の段差により生じた凹部（紙幣と紙幣との間隙であり、照射された光を反射しないためイメージデータでは暗部となる）および凸部（紙幣の側部であり、照射された光を反射するため明部となる）の数を計測して紙幣束の紙幣の枚数を算出するものである。
【００８３】
紙幣結束機構１０は、以下のようにして紙幣を結束する。
【００８４】
まず、搬送手段４０が図３に示す移送機構９の紙幣クランプ部から（図７中の矢印Ｉが示す方向）１００枚の紙幣を一括して受け取り、ローラ及びベルトを矢印Ｋが示す方向に回転させ、紙幣を矢印Ｋが示す方向に移動させ、結束位置まで搬送する。
【００８５】
続けて、テープ供給手段４３はテープ４１を矢印Ｌが示す方向に供給し、図示しない結束手段は供給されたテープ４１を紙幣に巻き付けて施封する。その際、印字手段４２はインクリボンを介してテープ４１にて結束される紙幣の情報を印字し、印字されたテープ４１は所定の長さにカッタ４４で切断され、この切断されたテープ４１ａを結束手段が結束位置に搬送された１００枚の紙幣に巻きかけて結束することにより紙幣束を作る。
【００８６】
こうして作られた紙幣束は、更に搬送手段４０により矢印Ｎが示す方向に搬送され、紙幣束の凹凸数検知部４７により紙幣束の凹凸数が検出される。その後も更に、搬送手段４０により矢印Ｎが示す方向に搬送され、図３に示す放出口１１に送られる。
【００８７】
上述した構成の作用について説明する。
【００８８】
紙幣整理装置が行う紙幣の施封処理を、図８の第３の実施例における施封処理を示すフローチャートの図中Ｓで表すステップにしたがって図７、図２および図３を参照しながら説明する。
【００８９】
Ｓ１ｃ〜Ｓ５ｃ：図６におけるＳ１ｂ〜Ｓ５ｂの処理と同様なので説明を省略する。
【００９０】
Ｓ６ｃ：制御部は、施封した紙幣束を搬送手段４０により図７に示す矢印Ｎが示す方向へ搬送し、凹凸数検知部４７により紙幣束の凹凸数を測定し、紙幣束の紙幣の枚数を算出する。
【００９１】
Ｓ７ｃ：制御部は、凹凸数検知部４７により測定した紙幣束の凹凸数から算出した紙幣束の紙幣の枚数が１００枚であるか否かを判定し、１００枚であると判定すると処理をＳ８ｃへ移行し、一方１００枚でないと判定すると処理をＳ９ｃへ移行する。
【００９２】
Ｓ８ｃ：算出した紙幣束の紙幣の枚数が１００枚分であると判定した制御部は、施封部１０への移送の際に紙幣が落下、または別の移送紙幣から落下した紙幣が混入していないと判定し、紙幣束を紙幣整理装置１００の外へ排出する。
【００９３】
Ｓ９ｃ：算出した紙幣束の紙幣の枚数が１００枚分でないと判定した制御部は、施封部１０への移送の際に紙幣が落下、または別の移送紙幣から落下した紙幣が混入したものと判定し、その紙幣束を排出せずに状態表示ランプを装置障害状態にして紙幣束が１００枚でないことを操作者に報知する。
【００９４】
以上説明したように、第３の実施例では、作成した紙幣束の凹凸数を検出する凹凸数検知部を設け、作成された紙幣束の紙幣の枚数を計数するようにしたことにより、設定された一定枚数でない紙幣束が装置外へ排出されてしまうことを防止し、装置の厳格性を確保することができるという効果が得られる。
【００９５】
なお、第１の実施例から第３の実施例では、本発明を紙幣整理装置に適用した実施例を説明したが、紙幣束を作成するその他の装置、例えば金融機関の営業店後方において現金の出し入れを管理する元方現金処理装置にも本発明を適用することができる。
【符号の説明】
【００９６】
１    投入部
２    鑑別部
３    紙幣搬送路
４    表裏反転部
５    オープンポケット
６    一時集積部
７    操作部
８    リジェクトポケット
９    移送機構
１０  施封部（紙幣結束機構）
１１  放出口
１２  扉
１３  操作表示部
４０  搬送手段
４１  テープ
４２  印字手段
４３  テープ供給手段
４４  カッタ
４５  画像読取部
４６  厚さ検知部
４７  凹凸数検知部
【図１】
0005529569.tif 000002
【図２】
0005529569.tif 000003
【図３】
0005529569.tif 000004
【図４】
0005529569.tif 000005
【図５】
0005529569.tif 000006
【図６】
0005529569.tif 000007
【図７】
0005529569.tif 000008
【図８】
0005529569.tif 000009